(57)【要約】      （修正有）【課題】組立時における部品点数を削減し、組立作業の簡素化および装置全体の低価格を図ることができる鍵盤装置を提供する。【解決手段】鍵盤シャーシ１と、この鍵盤シャーシ１上に上下方向に回転可能に設けられた鍵２と、鍵盤シャーシ１上に設けられたスイッチ基板１５と、このスイッチ基板１５上に設けられ、鍵２が押鍵されて鍵２のスイッチ押圧部８によって押圧された際に、ドーム状の膨出部が弾性変形してオン動作するスイッチ部１６と、このスイッチ部１６に設けられ、鍵２が押鍵された際に鍵２のスイッチ押圧部８が上方から弾接して鍵２の下限位置を規制する下限ストッパ部２０、２１とを備えている。従って、下限ストッパ部２０、２１とスイッチ部１６とを一体化することができ、これにより鍵盤シャーシ１にスイッチ部１６を取り付ける際に、下限ストッパ部２０、２１をスイッチ部１６と同時にスイッチ基板１５に組み付けることができる。【選択図】図２
2012098426.tif 000002
【特許請求の範囲】
【請求項１】
鍵盤シャーシと、
この鍵盤シャーシ上に上下方向に回転可能に設けられ、且つスイッチ押圧部を有する鍵と、
前記鍵盤シャーシ上に設けられたスイッチ基板と、
このスイッチ基板上に設けられ、前記鍵が押鍵されて前記スイッチ押圧部によって押圧された際に、ドーム状の膨出部が弾性変形してオン動作するスイッチ部と、
このスイッチ部に設けられ、前記鍵が押鍵された際に、前記鍵の一部が上方から弾接して前記鍵の下限位置を規制する下限ストッパ部と
を備えていることを特徴とする鍵盤装置。
【請求項２】
前記下限ストッパ部は、前記鍵の前後方向における前記スイッチ部の前記膨出部の前後部に位置する箇所に設けられており、
前記鍵の一部は、前記鍵の前後方向における前記スイッチ押圧部の前後部であることを特徴とする請求項１に記載の鍵盤装置。
【請求項３】
前記下限ストッパ部は、前記鍵の配列方向における前記スイッチ部の前記膨出部の両側部に位置する箇所に設けられており、
前記鍵の一部は、前記鍵の配列方向に位置する前記鍵の側壁部であることを特徴とする請求項１に記載の鍵盤装置。
【請求項４】
前記スイッチ部には、前記スイッチ基板の上面から下面に延出され、押鍵された前記鍵が初期位置に戻る際に、前記鍵に設けられたストッパ片が前記スイッチ基板の下面に位置する部分に下側から弾接して、前記鍵の上限位置を規制する上限ストッパ部が設けられていることを特徴とする請求項１〜請求項３のいずれかに記載の鍵盤装置。
【請求項５】
鍵盤シャーシと、
この鍵盤シャーシ上に上下方向に回転可能に設けられ、且つスイッチ押圧部とストッパ片とを有する鍵と、
前記鍵盤シャーシ上に設けられたスイッチ基板と、
このスイッチ基板上に設けられ、前記鍵が押鍵されて前記スイッチ押圧部によって押圧された際に、ドーム状の膨出部が弾性変形してオン動作するスイッチ部と、
このスイッチ部に設けられ、前記スイッチ基板の上面から下面に延出され、押鍵された前記鍵が初期位置に戻る際に、前記ストッパ片が前記スイッチ基板の下面に位置する部分に下側から弾接して、前記鍵の上限位置を規制する上限ストッパ部と
を備えていることを特徴とする鍵盤装置。
【請求項６】
前記上限ストッパ部は、前記スイッチ部に一体に形成されていることを特徴とする請求項５に記載の鍵盤装置。
【請求項７】
前記上限ストッパ部は、前記スイッチ部の端部から前記スイッチ基板の上面に沿って延び、この延びた端部が前記スイッチ基板の端部に位置する側面を経て前記スイッチ基板の下面に回り込んで、前記スイッチ基板の端部を上下に挟む形状に形成されていることを特徴とする請求項５または請求項６に記載の鍵盤装置。
【発明の詳細な説明】
【技術分野】
【０００１】
この発明は、電子ピアノや電子オルガンなどの鍵盤楽器に用いられる鍵盤装置に関する。
【背景技術】
【０００２】
従来、電子ピアノなど鍵盤楽器においては、特許文献１に記載されているように、鍵盤シャーシに鍵を上下方向に回転可能に設け、この鍵を押鍵操作した際に、鍵のスイッチ押圧部が鍵盤シャーシに設けられたスイッチ基板上のスイッチ部を押圧してオン動作させ、この後、鍵のストッパ片の上片部が鍵盤シャーシに配置された下限ストッパ部に当接して下限位置が規制され、この鍵が初期位置に戻る際に、鍵のストッパ片の下片部が鍵盤シャーシに配置された上限ストッパ部に当接して上限位置が規制されるように構成されたものが知られている。
【先行技術文献】
【特許文献】
【０００３】
【特許文献１】特開２００１−１３９６６号公報
【０００４】
この場合、下限ストッパ部は、鍵盤シャーシ上に設けられたスイッチ基板の端部における上面に設けられて鍵盤シャーシに配置されており、上限ストッパ部は、スイッチ基板の端部における下面に下限ストッパ部と対応して設けられて鍵盤シャーシに配置されている。また、スイッチ部は、ゴムシートにドーム状の膨出部を形成したものであり、スイッチ基板の上面に設けられ、膨出部の内部に可動接点が設けられ、この可動接点がスイッチ基板の固定接点に接離可能に接触することにより、オン動作するように構成されている。
【発明の概要】
【発明が解決しようとする課題】
【０００５】
しかしながら、このような従来の鍵盤楽器では、上下の各ストッパ部のうち、例えば下限ストッパ部とスイッチ部とが別々に形成されているので、部品点数が多くなり、部品管理が煩雑になるばかりか、下限ストッパ部とスイッチ部とをそれぞれスイッチ基板の異なる位置に個別に配置しなければならないため、組立作業が煩雑で面倒であり、生産性が悪く、製作コストが高くなるなどの問題がある。
【０００６】
この発明が解決しようとする課題は、組立時における部品点数を削減し、組立作業の簡素化および装置全体の低価格を図ることができる鍵盤装置を提供することである。
【課題を解決するための手段】
【０００７】
この発明は、上記課題を解決するために、次のような構成要素を備えている。
請求項１に記載の発明は、鍵盤シャーシと、この鍵盤シャーシ上に上下方向に回転可能に設けられ、且つスイッチ押圧部を有する鍵と、前記鍵盤シャーシ上に設けられたスイッチ基板と、このスイッチ基板上に設けられ、前記鍵が押鍵されて前記スイッチ押圧部によって押圧された際に、ドーム状の膨出部が弾性変形してオン動作するスイッチ部と、このスイッチ部に設けられ、前記鍵が押鍵された際に、前記鍵の一部が上方から弾接して前記鍵の下限位置を規制する下限ストッパ部とを備えていることを特徴とする鍵盤装置である。
【０００８】
請求項２に記載の発明は、前記下限ストッパ部が、前記鍵の前後方向における前記スイッチ部の前記膨出部の前後部に位置する箇所に設けられており、前記鍵の一部は、前記鍵の前後方向における前記スイッチ押圧部の前後部であることを特徴とする請求項１に記載の鍵盤装置である。
【０００９】
請求項３に記載の発明は、前記下限ストッパ部が、前記鍵の配列方向における前記スイッチ部の前記膨出部の両側部に位置する箇所に設けられており、前記鍵の一部は、前記鍵の配列方向に位置する前記鍵の側壁部であることを特徴とする請求項１に記載の鍵盤装置である。
【００１０】
請求項４に記載の発明は、前記スイッチ部に、前記スイッチ基板の上面から下面に延出され、押鍵された前記鍵が初期位置に戻る際に、前記鍵に設けられたストッパ片が前記スイッチ基板の下面に位置する部分に下側から弾接して、前記鍵の上限位置を規制する上限ストッパ部が設けられていることを特徴とする請求項１〜請求項３のいずれかに記載の鍵盤装置である。
【００１１】
請求項５に記載の発明は、鍵盤シャーシと、この鍵盤シャーシ上に上下方向に回転可能に設けられ、且つスイッチ押圧部とストッパ片とを有する鍵と、前記鍵盤シャーシ上に設けられたスイッチ基板と、このスイッチ基板上に設けられ、前記鍵が押鍵されて前記スイッチ押圧部によって押圧された際に、ドーム状の膨出部が弾性変形してオン動作するスイッチ部と、このスイッチ部に設けられ、前記スイッチ基板の上面から下面に延出され、押鍵された前記鍵が初期位置に戻る際に、前記ストッパ片が前記スイッチ基板の下面に位置する部分に下側から弾接して、前記鍵の上限位置を規制する上限ストッパ部とを備えていることを特徴とする鍵盤装置である。
【００１２】
請求項６に記載の発明は、前記上限ストッパ部が、前記スイッチ部に一体に形成されていることを特徴とする請求項５に記載の鍵盤装置である。
【００１３】
請求項７に記載の発明は、前記上限ストッパ部が、前記スイッチ部の端部から前記スイッチ基板の上面に沿って延び、この延びた端部が前記スイッチ基板の端部に位置する側面を経て前記スイッチ基板の下面に回り込んで、前記スイッチ基板の端部を上下に挟む形状に形成されていることを特徴とする請求項５または請求項６に記載の鍵盤装置である。
【発明の効果】
【００１４】
この発明によれば、鍵の下限位置を規制する下限ストッパ部、または鍵の上限位置を規制する上限ストッパ部とスイッチ部とを一体化することができ、これによりスイッチ部をスイッチ基板に取り付ける際に、下限ストッパ部または上限ストッパ部をスイッチ部と同時にスイッチ基板に組み付けることができる。このため、下限ストッパ部または上限ストッパ部を備えていても、組立時における部品点数を削減することができ、これにより組立作業の簡素化および装置全体の低価格を図ることができる。
【図面の簡単な説明】
【００１５】
【図１】この発明を鍵盤楽器に適用した実施形態１において、鍵盤部の一部を破断して示した要部の平面図である。
【図２】図１に示された鍵盤楽器の鍵盤部のＡ−Ａ矢視における拡大断面図である。
【図３】図２に示された鍵盤楽器のスイッチ部を示した拡大断面図である。
【図４】図２に示された鍵盤楽器において鍵を押鍵操作した状態を示した拡大断面図である。
【図５】この発明を鍵盤楽器に適用した実施形態２において、鍵盤部の一部を破断して示した要部の平面図である。
【図６】図５に示された鍵盤楽器の鍵盤部のＢ−Ｂ矢視における拡大断面図である。
【図７】図６に示された鍵盤部のスイッチ部を示し、（ａ）はその拡大側面図、（ｂ）はその拡大平面図である。
【図８】図５に示された鍵盤楽器の鍵盤部のＣ−Ｃ矢視における拡大断面図である。
【図９】この発明を鍵盤楽器に適用した実施形態２において、鍵盤部の一部を破断して示した要部の平面図である。
【図１０】図９に示された鍵盤楽器の鍵盤部のＤ−Ｄ矢視における拡大断面図である。
【図１１】図１０に示された鍵盤楽器のスイッチ部を示した拡大断面図である。
【図１２】図１０に示された鍵盤楽器において鍵を押鍵操作した状態を示した拡大断面図である。
【発明を実施するための形態】
【００１６】
（実施形態１）
以下、図１〜図４を参照して、この発明を鍵盤楽器に適用した実施形態１について説明する。
この鍵盤楽器は、図１および図２に示すように、楽器ケースの下部ケースを兼ねる鍵盤シャーシ１を備えている。この鍵盤シャーシ１の上部には、複数の鍵２が音階順に並列に配列された状態で、上下方向に回転可能に取り付けられている。
【００１７】
この複数の鍵２は、図１および図２に示すように、複数の白鍵２ａと複数の黒鍵２ｂとからなっている。この場合、白鍵２ａは黒鍵２ｂよりも前後方向に長く形成されており、黒鍵２ｂは白鍵２ａの高さよりも高く形成されている。これ以外は、白鍵２ａおよび黒鍵２ｂは同じ構成になっている。
【００１８】
この白鍵２ａおよび黒鍵２ｂの各鍵２は、図１および図２に示すように、その後端部（図２では左端部）に回転支点である肉厚の薄い屈曲部３がそれぞれ設けられ、この各屈曲部３が鍵２の配列方向に連続する連結部４にそれぞれ連結され、この連結部４が鍵盤シャーシ１の後端部（図２では左端部）に設けられた鍵搭載部５上にビス６によって取り付けられた構成になっている。
【００１９】
この場合、連結部４は、複数の白鍵２ａを連結する白鍵用の連結部４と、複数の黒鍵２ｂを連結する黒鍵用の連結部４とを有し、これらが上下に重ね合わされた状態で、鍵搭載部５上にビス６によって取り付けられている。これにより、白鍵２ａおよび黒鍵２ｂの各鍵２は、図２および図４に示すように、押鍵操作された際に、回転支点である屈曲部３が上下方向に弾性変形することにより、この屈曲部３を中心に上下方向に回転するように構成されている。
【００２０】
また、この鍵２の前後方向（図２では左右方向）における中間部の前側、つまり黒鍵２ｂの前端部（図２では右端部）に位置する箇所には、図２に示すように、ストッパ片７が下側に突出して設けられている。このストッパ片７の下部には、フック部７ａが後方（図２では左側）に向けて突出して設けられている。
【００２１】
さらに、この鍵２の中間部おける後側、つまり黒鍵２ｂの前後方向におけるほぼ中間部には、図２に示すように、スイッチ押圧部８が下側に突出して設けられている。このスイッチ押圧部８は、その横断面が十字形状をなすリブ部を鍵２の前後方向に沿って複数個（この実施形態では３個）連続させた形状に形成されている。これにより、スイッチ押圧部８は、その中間部に位置するリブ部がスイッチ当接部８ａに形成され、このスイッチ当接部８ａの前後に位置する各リブ部がストッパ当接部８ｂに形成された構成になっている。
【００２２】
ところで、鍵盤シャーシ１の前端部（図２では右端部）には、図２に示すように、複数の鍵２の前端面を覆う鍵カバー部９が、鍵搭載部５よりも低い高さで上方に突出して設けられている。この鍵カバー部９の後側（図２では左側）に位置する鍵盤シャーシ１上には、鍵ガイド部１０が鍵カバー部９とほぼ同じ高さで設けられている。また、この鍵盤シャーシ１の前後方向（図２では左右方向）における中間部の前側、つまり鍵２のストッパ片７に対応する箇所には、立上り部１１が鍵盤シャーシ１の底部から上方に起立して設けられている。
【００２３】
この立上り部１１は、図２に示すように、その高さが鍵カバー部９とほぼ同じ高さに形成されている。この立上り部１１には、鍵２のストッパ片７のフック部７ａが上下方向に移動可能に挿入する開口部１１ａが設けられている。また、この立上り部１１の上部には、上限ストッパ搭載部１２が設けられている。この上限ストッパ搭載部１２の下面には、鍵２のストッパ片７のフック部７ａが下側から当接する上限ストッパ部１３が設けられている。
【００２４】
さらに、この上限ストッパ搭載部１２の後部側（図２では左側）には、図２に示すように、基板搭載部１４が上限ストッパ搭載部１２とほぼ同じ高さで設けられている。この基板搭載部１４上には、図１および図２に示すように、スイッチ基板１５が鍵２の配列方向に沿って連続した状態で設けられている。このスイッチ基板１５上には、スイッチ部１６が鍵２のスイッチ押圧部８に対応して設けられている。
【００２５】
このスイッチ部１６は、図１〜図３に示すように、ゴムシート１７にドーム状の膨出部１８が各鍵２のスイッチ押圧部８にそれぞれ対応して形成され、この状態でスイッチ基板１５の上面に鍵２の配列方向に連続して設けられた構成になっている。この場合、ゴムシート１７は、鍵２の配列方向に沿って連続する帯状に形成されており、このゴムシート１７の下面には、図２および図３に示すように、スイッチ基板１５の取付孔１５ａに差し込まれて、ゴムシート１７をスイッチ基板１５に取り付けるための差込ピン１７ａが下側に突出して設けられている。
【００２６】
また、ドーム状の膨出部１８は、図４に示すように、鍵２が押鍵されてスイッチ押圧部８によって押圧された際に、弾性変形するように構成されている。このドーム状の膨出部１８の内部には、図３に示すように、可動接点１８ａが設けられている。この可動接点１８ａは、図３および図４に示すように、膨出部１８がスイッチ押圧部８によって押圧されて弾性変形した際に、スイッチ基板１５の上面に設けられた一対の固定接点１８ｂに接離可能に接触するように構成されている。
【００２７】
ところで、このスイッチ部１６には、図１〜図４に示すように、鍵２の下限位置を規制する一対の下限ストッパ部２０、２１が設けられている。この一対の下限ストッパ部２０、２１は、スイッチ部１６のゴムシート１７における鍵２の前後方向（図２では左右方向）に位置する前後部にそれぞれ設けられている。
【００２８】
すなわち、この一対の下限ストッパ部２０、２１のうち、前側の下限ストッパ部２０は、図３に示すように、ドーム状の膨出部１８の前側（図３では右側）に位置する箇所のゴムシート１７上に配置されている。この前側の下限ストッパ部２０は、鍵２が押鍵操作されて鍵２のスイッチ押圧部８のスイッチ当接部８ａがドーム状の膨出部１８を押圧してオン動作した後に、スイッチ押圧部８の前部（図３では右側）に位置するストッパ当接部８ｂが上方から弾接するように構成されている。
【００２９】
また、後側の下限ストッパ部２１は、ドーム状の膨出部１８の後側（図３では左側）に位置する箇所のゴムシート１７上に配置されている。この後側の下限ストッパ部２１も、前側の下限ストッパ部２０と同様、鍵２が押鍵操作されて鍵２のスイッチ押圧部８がドーム状の膨出部１８を押圧してオン動作した後に、スイッチ押圧部８の後部（図３では左側）に位置するストッパ当接部８ｂが上方から弾接するように構成されている。
【００３０】
この場合、一対の下限ストッパ部２０、２１は、図４に示すように、鍵２が押鍵操作されて屈曲部３を中心に下側に回転した際に、鍵２が前下がり（図２では右下がり）に傾くため、前後の各下限ストッパ部２０、２１の各高さが異なる高さで形成されている。すなわち、鍵２の前側に位置する下限ストッパ部２０は、図３に示すように、その高さが鍵２の後側に位置する下限ストッパ部２１の高さよりも低く形成されている。
【００３１】
これにより、一対の下限ストッパ部２０、２１は、図４に示すように、鍵２が押鍵操作されて鍵２のスイッチ押圧部８の中間部に位置するスイッチ当接部８ａがドーム状の膨出部１８を押圧してオン動作した後に、スイッチ押圧部８のスイッチ当接部８ａの前後に位置する各ストッパ当接部８ｂがほぼ同時に弾接するように構成されている。
【００３２】
次に、このような鍵盤楽器を組み立てる場合について説明する。
この場合には、予め、スイッチ部１６のゴムシート１７の前後部、つまりゴムシート１７に膨出形成されたドーム状の膨出部１８の前後部に位置する箇所のゴムシート１７上に一対の下限ストッパ部２０、２１を貼り付ける。これにより、一対の下限ストッパ部２０、２１とスイッチ部１６のゴムシート１７とを一体化する。
【００３３】
この後、スイッチ部１６をスイッチ基板１５に取り付ける。このときには、図２および図３に示すように、ゴムシート１７の下面に設けられた差込ピン１７ａを、スイッチ基板１５の各取付孔１５ａに上方から差し込む。これにより、スイッチ部１６のゴムシート１７が下限ストッパ部２０、２１と共にスイッチ基板１５上に取り付けられ、各ドーム状の膨出部１８内の可動接点がスイッチ基板１５上の固定接点に接離可能な状態で対応する。
【００３４】
次に、このスイッチ基板１５を鍵盤シャーシ１の基板搭載部１４上に取り付けると共に、上限ストッパ部１３を鍵盤シャーシ１の上限ストッパ搭載部１２の下面に取り付ける。この後、鍵盤シャーシ１上に複数の鍵２を取り付ける。このときには、まず、各鍵２のストッパ片７の下部に設けられたフック部７ａを鍵盤シャーシ１の立上り部１１に設けられた各開口部１１ａ内に前側（図２では右側）から後方に向けて挿入させる。
【００３５】
この状態で、複数の鍵２が各屈曲部３を介して連結された連結部４を鍵盤シャーシ１の後端部（図２では左端部）に設けられた鍵搭載部５上にビス６によって取り付ける。これにより、複数の鍵２は、図２および図４に示すように、回転支点である屈曲部３を中心に上下方向に回転するように鍵盤シャーシ１上に取り付けられる。
【００３６】
この状態では、各鍵２にそれぞれ設けられた各スイッチ押圧部８がスイッチ部１６のゴムシート１７に設けられた各ドーム状の膨出部１８の上部にそれぞれ対応して配置される。すなわち、スイッチ押圧部８は、図２に示すように、その中間部のスイッチ当接部８ａが膨出部１８上に対応して配置されると共に、このスイッチ当接部８ａの前後に位置する各ストッパ当接部８ｂが、ゴムシート１７上に設けられた一対の下限ストッパ部２０、２１に対応した状態で上方に配置される。
【００３７】
これにより、図２に示すように、鍵２のスイッチ押圧部８がゴムシート１７に設けられたドーム状の膨出部１８の弾性力によって押し上げられ、これに伴って鍵２のストッパ片７のフック部７ａが鍵盤シャーシ１の上限ストッパ部１３に下側から弾接し、鍵２が初期位置である上限位置に位置規制されている。これにより、鍵盤楽器が組み立てられる。
【００３８】
次に、このように組み立てられた鍵盤楽器を使用する場合について説明する。
まず、鍵２を押鍵操作すると、鍵２が屈曲部３を中心に下側に回転する。このときには、鍵盤シャーシ１に設けられた鍵ガイド部１０によって鍵２の前部がガイドされながら下側に回転する。これにより、鍵２が横振れを起すことなく、円滑に且つ良好に下側に回転する。
【００３９】
また、このときには、鍵２のスイッチ押圧部８の中間部に位置するスイッチ当接部８ａがスイッチ部１６のゴムシート１７に設けられたドーム状の膨出部１８を押し下げて、このドーム状の膨出部１８を押し潰すように弾性変形させる。すると、ドーム状の膨出部１８は、その内部に設けられた可動接点１８ａがスイッチ基板１５上に設けられた一対の固定接点１８ｂに接触する。これにより、スイッチ部１６がスイッチ動作する。
【００４０】
この状態で、鍵２が更に押し下げられると、鍵２のスイッチ押圧部８の前後部に位置する各ストッパ当接部８ｂが、スイッチ部１６に設けられた一対の下限ストッパ部２０、２１にほぼ同時に弾接する。すなわち、鍵２は、図４に示すように、屈曲部３を中心に下側に回転すると、前下がり（図２では右下がり）に傾き、これに伴ってスイッチ押圧部８の下面も前側下りに傾く。
【００４１】
しかし、このときには、一対の下限ストッパ部２０、２１のうち、前側の下限ストッパ部２０の高さが後側の下限ストッパ部２１の高さよりも低く形成されているので、スイッチ押圧部８の前後部に位置する各ストッパ当接部８ｂが前下がりに傾いても、一対の下限ストッパ部２０、２１にほぼ同時に弾接して、鍵２を下限位置に規制する。
【００４２】
このときには、押鍵された鍵２の衝撃が下限ストッパ部２０、２１によって吸収されるので、押鍵された鍵２による衝撃音の発生を防ぐことができると共に、鍵２のタッチ感を良好に維持して、鍵２の下限位置を確実に且つ良好に規制することができる。
【００４３】
この後、鍵２が初期位置に戻る際には、スイッチ部１６の弾性変形した膨出部１８が元の形状に弾性復帰するので、その弾性復帰力によってスイッチ押圧部８が押し上げられる。これにより、鍵２は屈曲部３を中心に上側に回転し、これに伴って鍵２のストッパ片７のフック部７ａが鍵盤シャーシ１の上限ストッパ部１３に下側から弾接し、鍵２が初期位置である上限位置に位置規制されている。
【００４４】
このように、この鍵盤楽器によれば、鍵盤シャーシ１と、この鍵盤シャーシ１上に上下方向に回転可能に設けられてスイッチ押圧部８を有する鍵２と、鍵盤シャーシ１上に設けられたスイッチ基板１５と、このスイッチ基板１５上に設けられ、鍵２が押鍵されてスイッチ押圧部８によって押圧された際に、ドーム状の膨出部１８が弾性変形してオン動作するスイッチ部１６と、このスイッチ部１６に設けられ、鍵２が押鍵された際に鍵２の一部であるスイッチ押圧部８が上方から弾接して鍵２の下限位置を規制する下限ストッパ部２０、２１とを備えているので、組立時における部品点数を削減し、組立作業の簡素化および装置全体の低価格を図ることができる。
【００４５】
すなわち、この鍵盤楽器では、予め、鍵２の下限位置を規制する下限ストッパ部２０、２１がスイッチ部１６に設けられていることにより、下限ストッパ部２０、２１とスイッチ部１６とを一体化することができ、これにより組立時における部品点数を削減することができると共に、部品管理を簡素化することができる。このため、スイッチ基板１５上にスイッチ部１６を取り付ける際に、鍵２の下限位置を規制する下限ストッパ部２０、２１をスイッチ部１６と同時にスイッチ基板１５に組み付けることができるので、組立作業性が良く、組立作業の簡素化を図ることができる。
【００４６】
また、このスイッチ部１６を鍵盤シャーシ１に取り付ける際には、下限ストッパ部２０、２１とスイッチ部１６とをスイッチ基板１５と共に同時に鍵盤シャーシ１に組み付けることができる。これにより、下限ストッパ部２０、２１を備えていても、組立時における部品点数を削減することができ、これにより組立作業の簡素化を図ることができると共に、装置全体の低価格をも図ることができる。
【００４７】
この場合、下限ストッパ部２０、２１は、鍵２の前後方向におけるスイッチ部１６の前後部に位置する箇所に設けられており、この下限ストッパ部２０、２１に弾接する鍵２の一部は、鍵２の前後方向におけるスイッチ押圧部８の前後部に設けられたストッパ当接部８ｂであることにより、鍵２が押鍵された際に、鍵２のスイッチ押圧部８がスイッチ部１６を押圧してオン動作させた後に、スイッチ押圧部８の各ストッパ当接部８ｂを下限ストッパ部２０、２１に弾接させることができ、これにより鍵２の下限位置を確実に且つ良好に規制することができる。
【００４８】
すなわち、スイッチ押圧部８は、鍵２の前後方向における中間部にスイッチ当接部８ａがスイッチ部１６の膨出部１８に対応して設けられ、このスイッチ当接部８ａの前後部にストッパ当接部８ｂがそれぞれ設けられているので、鍵２が押鍵された際に、スイッチ押圧部８の中間部に位置するスイッチ当接部８ａがスイッチ部１６を押圧してオン動作させた後に、このスイッチ押圧部８における前後に位置する各ストッパ当接部８ｂを下限ストッパ部２０、２１に弾接させることができ、これにより鍵２の下限位置を確実に且つ良好に規制することができる。
【００４９】
この場合、スイッチ部１６におけるドーム状の膨出部１８の前後に位置する一対の下限ストッパ部２０、２１のうち、鍵２の前側に位置する下限ストッパ部２０は、その高さが鍵２の後側に位置する下限ストッパ部２１の高さよりも低く形成されているので、鍵２が押鍵操作されて屈曲部３を中心に下側に回転した際に、鍵２が前下がり（図２では右下がり）に傾き、これに伴ってスイッチ押圧部８も前下がりに傾いても、スイッチ押圧部８のスイッチ当接部８ａが膨出部１８を押圧してオン動作した後に、スイッチ押圧部８の前後の各ストッパ当接部８ｂを一対の下限ストッパ部２０、２１にほぼ同時に弾接させることができ、これにより鍵２の下限位置を確実に且つ良好に規制することができる。
【００５０】
このときには、一対の下限ストッパ部２０、２１によって押鍵された鍵２の衝撃を吸収することができるので、押鍵された鍵２による衝撃音の発生を防ぐことができると共に、鍵２のタッチ感を良好に維持して、鍵２の下限位置を規制することができる。この場合、下限ストッパ部２０、２１を大きく形成することにより、安定した緩衝効果を得ることができると共に、このように下限ストッパ部２０、２１を大きく形成しても、ドーム状の膨出部１８を小さく形成することにより、ゴムシート１７のサイズを既存のもの同じサイズに維持することができるので、スイッチ部１６全体の小型化を図ることができ、これにより楽器全体の小型化を図ることができる。
【００５１】
なお、上述した実施形態１では、一対の下限ストッパ部２０、２１を異なる高さで形成した場合について述べたが、これに限らず、例えばスイッチ押圧部８の下面を鍵２の前後方向に沿って前下がりに傾斜する傾斜面に形成することにより、一対の下限ストッパ部２０、２１を同じ高さに形成しても良い。
【００５２】
また、上述した実施形態１では、一対の下限ストッパ部２０、２１をスイッチ部１６の膨出部１８の前後部に位置する箇所のゴムシート１７上に貼り付けた構成である場合について述べたが、これに限らず、ゴムシート１７を成形するときに、一対の下限ストッパ部２０、２１をゴムシート１７と一体に成形しても良い。このように一体に形成すれば、より一層、生産性を高めることができる。
【００５３】
（実施形態２）
次に、図５〜図８を参照して、この発明を鍵盤楽器に適用した実施形態２について説明する。なお、図１〜図４に示された実施形態１と同一部分には同一符号を付して説明する。
この鍵盤楽器は、図５に示すように、下限ストッパ部２５、２６の設置位置が実施形態１と異なり、これに伴って鍵２のストッパ当接部２７、２８が実施形態１と異なる構成になっており、これ以外は実施形態１とほぼ同じ構成になっている。
【００５４】
すなわち、この下限ストッパ部２５、２６は、図５〜図８に示すように、スイッチ部１６のゴムシート１７に設けられたドーム状の膨出部１８における左右両側、つまり鍵２の配列方向における膨出部１８の左右両側に位置する個所のゴムシート１７上にそれぞれ設けられている。
【００５５】
この場合、膨出部１８の右側に位置する下限ストッパ部２５は、図５および図７に示すように、膨出部１８における鍵２の前後方向の前側に位置する箇所と、膨出部１８における鍵２の前後方向の後側に位置する箇所とにそれぞれ設けられている。また、膨出部１８の左側に位置する下限ストッパ部２６も、膨出部１８における鍵２の前後方向の前側に位置する箇所と、膨出部１８における鍵２の前後方向の後側に位置する箇所とにそれぞれ設けられている。
【００５６】
また、これら下限ストッパ部２５、２６は、図５および図８に示すように、互いに隣接するドーム状の膨出部１８間にそれぞれ設けられている。すなわち、各下限ストッパ部２５、２６は、互いに隣接する２つの鍵２の各側壁部２ｃの両方に跨った状態で設けられている。これにより、各下限ストッパ部２５、２６は、図８に示すように、互いに隣接する２つの鍵２の下限位置を兼用して規制するように構成されている。
【００５７】
この場合にも、これら下限ストッパ部２５、２６のうち、膨出部１８における鍵２の前後方向の前側に位置する下限ストッパ部２５、２６は、その両者の各高さが同じ高さに形成され、膨出部１８における鍵２の前後方向の後側に位置する下限ストッパ部２５、２６の高さよりも低く形成されている。この膨出部１８における鍵２の前後方向の後側に位置する下限ストッパ部２５、２６も、その両者の各高さが同じ高さに形成されている。
【００５８】
一方、白鍵２ａおよび黒鍵２ｂの各鍵２のストッパ当接部２７、２８は、図６に示すように、鍵２の配列方向における鍵２の左右両側に位置する各側壁部２ｃの下部にそれぞれ設けられている。すなわち、このストッパ当接部２７、２８のうち、ストッパ当接部２７は、図８に示すように、鍵２の配列方向において右側に位置する側壁部２ｃの下部に設けられ、スイッチ部１６の膨出部１８の右側に位置する下限ストッパ部２３、２４に上方から弾接するように構成されている。
【００５９】
また、ストッパ当接部２７、２８のうち、ストッパ当接部２８は、鍵２の配列方向において左側に位置する側壁部２ｃの下部に設けられ、スイッチ部１６の膨出部１８の左側に位置する下限ストッパ部２５、２６に上方から弾接するように構成されている。この場合にも、各ストッパ当接部２７、２８は、鍵２が押鍵操作されて鍵２のスイッチ押圧部８の中間部に位置するスイッチ当接部８ａがドーム状の膨出部１８を押圧してオン動作した後に、各下限ストッパ部２５、２６にほぼ同時に弾接するように構成されている。
【００６０】
このような鍵盤楽器によれば、実施形態１と同様、予め、鍵２の下限位置を規制する各下限ストッパ部２５、２６がスイッチ部１６に設けられていることにより、下限ストッパ部２５、２６とスイッチ部１６とを一体化することができ、これにより組立時における部品点数を削減することができると共に、部品管理を簡素化することができる。このため、スイッチ基板１５上にスイッチ部１６を取り付ける際に、鍵２の下限位置を規制する下限ストッパ部２５、２６をスイッチ部１６と同時にスイッチ基板１５に組み付けることができるので、組立作業性が良く、組立作業の簡素化を図ることができる。
【００６１】
また、このスイッチ部１６を鍵盤シャーシ１に取り付ける際には、下限ストッパ部２５、２６とスイッチ部１６とをスイッチ基板１５と共に同時に鍵盤シャーシ１に組み付けることができるので、下限ストッパ部２５、２６を備えていても、組立時における部品点数を削減することができ、これにより組立作業の簡素化を図ることができると共に、装置全体の低価格をも図ることができる。
【００６２】
この場合、下限ストッパ部２５、２６は、鍵２の配列方向におけるスイッチ部１６の膨出部１８間にそれぞれ設けられており、この下限ストッパ部２５、２６に弾接する鍵２の一部は、鍵２の配列方向における鍵２の左右両側に位置する各側壁部２ｃに設けられた各ストッパ当接部２７、２８であることにより、鍵２が押鍵された際に、鍵２のスイッチ押圧部８がスイッチ部１６を押圧してオン動作させた後に、鍵２の各ストッパ当接部２７、２８が各下限ストッパ部２５、２６にそれぞれ弾接するので、鍵２の下限位置を確実に且つ良好に規制することができる。
【００６３】
すなわち、ストッパ当接部２７、２８は、鍵２の配列方向における鍵２の左右両側に位置する側壁部２ｃの各下部に設けられており、各下限ストッパ部２５、２６は、鍵２の配列方向におけるスイッチ部１６の膨出部１８間に位置した状態で、膨出部１８の両側に位置すると共に、鍵２の前後方向における膨出部１８の前後部に位置して設けられているので、鍵２が押鍵された際に、スイッチ押圧部８がスイッチ部１６を押圧してオン動作させた後に、鍵２の各スイッチ当接部２７、２８をスイッチ部１６の膨出部１８の近傍に位置する下限ストッパ部２５、２６に弾接させることができ、これにより鍵２を確実に且つ良好に下限位置に位置規制することができる。
【００６４】
この場合、スイッチ部１６におけるドーム状の膨出部１８の近傍に位置する各下限ストッパ部２５、２６のうち、膨出部１８の前側に位置する下限ストッパ部２５、２６は、その高さが膨出部１８の後側に位置する下限ストッパ部２５、２６の高さよりも低く形成されているので、実施形態１と同様、鍵２が押鍵操作されて屈曲部３を中心に下側に回転した際に、鍵２が前下がり（図２では右下がり）に傾いても、スイッチ押圧部８のスイッチ当接部８ａが膨出部１８を押圧してオン動作した後に、鍵２の各ストッパ当接部２７、２８を各下限ストッパ部２５、２６にほぼ同時に弾接させることができ、これにより鍵２の下限位置を確実に且つ良好に規制することができる。
【００６５】
なお、上述した実施形態２では、一対の下限ストッパ部２５、２６のうち、前側に位置する下限ストッパ部２５、２６と後側に位置する下限ストッパ部２５、２６とを異なる高さで形成した場合について述べたが、これに限らず、例えば鍵２の各側壁部２ｃの下部に設けられた各ストッパ当接部２７、２８の下部を鍵２の前後方向に沿って前下がりに傾斜する傾斜部に形成することにより、各下限ストッパ部２５、２６を同じ高さに形成しても良い。
【００６６】
また、上述した実施形態２では、各下限ストッパ部２５、２６をスイッチ部１６の膨出部１８の左右両側で且つ膨出部１８の前後部に位置する箇所のゴムシート１７上に貼り付けた構成である場合について述べたが、これに限らず、ゴムシート１７を成形するときに、各下限ストッパ部２５、２６をゴムシート１７と一体に成形しても良い。このように一体に形成すれば、より一層、生産性を高めることができる。
【００６７】
さらに、上述した実施形態２では、各下限ストッパ部２５、２６をスイッチ部１６の各膨出部１８間において、膨出部１８の左右両側で且つ膨出部１８の前後部に位置する箇所にそれぞれ設けた構成である場合について述べたが、これに限らず、膨出部１８の前後部に位置する箇所において、鍵２の配列方向に連続させて設けた構成であっても良い。
【００６８】
（実施形態３）
次に、図９〜図１１を参照して、この発明を鍵盤楽器に適用した実施形態３について説明する。この場合にも、図１〜図４に示された実施形態１と同一部分には同一符号を付して説明する。
この鍵盤楽器は、図９および図１０に示すように、上限ストッパ部３０をスイッチ部１６に設けた構成であり、これ以外は実施形態１とほぼ同じ構成になっている。
【００６９】
この上限ストッパ部３０は、図９〜図１１に示すように、スイッチ基板１５の上面から下面に延出され、押鍵された鍵２が初期位置に戻る際に、鍵２に設けられたストッパ片７のフック部７ａがスイッチ基板１５の下面に位置する部分に下側から弾接して、鍵２の上限位置を規制するように構成されている。この場合、上限ストッパ部３０は、スイッチ基板１５に配置されたスイッチ部１６のゴムシート１７に、鍵２の配列方向に連続した状態で一体に形成されている。
【００７０】
すなわち、この上限ストッパ部３０は、図９および図１０に示すように、鍵２の前側に位置するスイッチ部１６のゴムシート１７の前端部（図１０では右端部）からスイッチ基板１５の上面に沿って前側（図１０では右側）に向けて延び、この延びた前端部がスイッチ基板１５の前側に位置する側面（図１０では右側面）を経てスイッチ基板１５の下面に回り込んで、スイッチ基板１５の前端部を上下に挟む形状に形成されている。
【００７１】
これにより、上限ストッパ部３０は、図１０に示すように、スイッチ基板１５の下面に回り込んだ下面部３０ａに鍵２のストッパ片７のフック部７ａが下側から弾接することにより、鍵２の上限位置を規制するように構成されている。
【００７２】
この場合にも、スイッチ部１６のゴムシート１７上には、図９および図１０に示すように、鍵２の下限位置を規制する一対の下限ストッパ部２０、２１が設けられている。この一対の下限ストッパ部２０、２１も、実施形態１と同様、スイッチ部１６のゴムシート１７における鍵２の前後方向（図２では左右方向）に位置するドーム状の膨出部１８の前後部に、異なる高さで設けられている。
【００７３】
また、鍵２のスイッチ押圧部８も、実施形態１と同様、その中間部に位置するリブ部がスイッチ当接部８ａに形成され、このスイッチ当接部８ａの前後に位置する各リブ部がストッパ当接部８ｂに形成された構成になっている。これにより、スイッチ押圧部８は、図１１に示すように、鍵２が押鍵操作されてスイッチ当接部８ａがドーム状の膨出部１８を押圧してオン動作した後に、スイッチ押圧部８の前後部に位置する各ストッパ当接部８ｂが下限ストッパ部２０、２１に上方から弾接して、鍵２の下限位置が規制されるように構成されている。
【００７４】
次に、このような鍵盤楽器を使用する場合について説明する。
まず、鍵２が押鍵されていない初期状態では、鍵２のスイッチ押圧部８がスイッチ部１６のドーム状の膨出部１８の弾性復帰力によって押し上げられている。これにより、鍵２は屈曲部３を中心に上側に回転し、図１０に示すように、鍵２に設けられたストッパ片７のフック部７ａが、スイッチ基板１５に設けられたスイッチ部１６の上限ストッパ部３０の下面部３０ａに下側から弾接している。これにより、鍵２は、初期位置である上限位置に位置規制されている。
【００７５】
この状態で、鍵２を押鍵操作すると、鍵２が屈曲部３を中心に下側に回転する。このときには、図１１に示すように、鍵２に設けられたストッパ片７のフック部７ａが、鍵２の下側への回転に伴って、スイッチ基板１５に設けられたスイッチ部１６の上限ストッパ部３０の下面部３０ａから下側に離れる。
【００７６】
また、このときには、実施形態１と同様、鍵２のスイッチ押圧部８の中間部に位置するスイッチ当接部８ａがスイッチ部１６のゴムシート１７に設けられたドーム状の膨出部１８を押し下げて、このドーム状の膨出部１８を押し潰すように弾性変形させる。これにより、ドーム状の膨出部１８は、スイッチ動作して、その内部に設けられた可動接点１８ａがスイッチ基板１５上に設けられた一対の固定接点１８ｂに接触する。
【００７７】
この状態で、鍵２が更に押し下げられると、実施形態１と同様、鍵２のスイッチ押圧部８の前後部に位置するストッパ当接部８ｂがスイッチ部１６に設けられた一対の下限ストッパ部２０、２１にほぼ同時に弾接する。すなわち、鍵２は、実施形態１と同様、屈曲部３を中心に下側に回転し、前下がり（図１２では右下がり）に傾く。
【００７８】
これに伴ってスイッチ押圧部８の下面も前側下りに傾むいても、一対の下限ストッパ部２０、２１のうち、前側の下限ストッパ部２０の高さが後側の下限ストッパ部２１の高さよりも低く形成されているので、スイッチ押圧部８の前後部に位置するストッパ当接部８ｂが一対の下限ストッパ部２０、２１にほぼ同時に弾接し、鍵２の下限位置を規制する。
【００７９】
この後、鍵２が初期位置に戻る際には、スイッチ部１６の弾性変形した膨出部１８が弾性復帰するので、その弾性復帰力によってスイッチ押圧部８が押し上げられる。これにより、図１０に示すように、鍵２は屈曲部３を中心に上側に回転し、これに伴って鍵２のストッパ片７のフック部７ａがスイッチ基板１５に設けられたスイッチ部１６の上限ストッパ部３０に下側から弾接し、鍵２が初期位置である上限位置に規制されている。
【００８０】
このように、この鍵盤楽器によれば、鍵盤シャーシ１と、この鍵盤シャーシ１上に上下方向に回転可能に設けられてスイッチ押圧部８とストッパ片７とを有する鍵２と、鍵盤シャーシ１上に設けられたスイッチ基板１５と、このスイッチ基板１５上に設けられ、鍵２が押鍵されてスイッチ押圧部８によって押圧された際に、ドーム状の膨出部１８が弾性変形してオン動作するスイッチ部１６と、このスイッチ部１６に設けられ、スイッチ基板１５の下面に延出され、押鍵された鍵２が初期位置に戻る際にストッパ片７が下側から弾接して、鍵２の上限位置を規制する上限ストッパ部３０とを備えているので、組立時における部品点数を削減し、組立作業の簡素化および装置全体の低価格を図ることができる。
【００８１】
すなわち、この鍵盤楽器では、予め、鍵２の上限位置を規制する上限ストッパ部３０がスイッチ部１６に設けられていることにより、上限ストッパ部３０とスイッチ部１６とを一体化することができ、これにより組立時における部品点数を削減することができると共に、部品管理を簡素化することができる。このため、スイッチ基板１５上にスイッチ部１６を取り付ける際に、鍵２の上限位置を規制する上限ストッパ部３０をスイッチ部１６と同時にスイッチ基板１５に組み付けることができるので、組立作業性が良く、組立作業の簡素化を図ることができる。
【００８２】
また、このスイッチ部１６を鍵盤シャーシ１に取り付ける際には、上限ストッパ部３０とスイッチ部１６とをスイッチ基板１５と共に同時に鍵盤シャーシ１に組み付けることができるので、上限ストッパ部３０を備えていても、組立時における部品点数を削減することができ、これにより組立作業の簡素化を図ることができると共に、装置全体の低価格をも図ることができる。
【００８３】
この場合、上限ストッパ部３０は、スイッチ部１６のゴムシート１７に一体に形成されているので、スイッチ部１６を製作するときに、同時に製作することができる。すなわち、スイッチ部１６のゴムシート１７にドーム状の膨出部１８を成形するとき、またはゴムシート１７を成形するときに、同時に上限ストッパ部３０を成形することができ、これにより、より一層、生産性を高めることができる。
【００８４】
また、この上限ストッパ部３０は、スイッチ部１６の前端部からスイッチ基板１５の上面に沿って延び、この延びた前端部がスイッチ基板１５の前端に位置する側面を経てスイッチ基板１５の下面に回り込んで、スイッチ基板１５の前端部を上下に挟む形状に形成されていることにより、スイッチ部１６をスイッチ基板１５上に配置する際に、上限ストッパ部３０をスイッチ基板１５の縁部に挟み付けるだけで、簡単に且つ容易にスイッチ基板１５にスイッチ部１６と共に取り付けることができる。
【００８５】
また、この鍵盤楽器では、スイッチ部１６に下限ストッパ部２０、２１が実施形態１と同様に設けられているので、鍵盤シャーシ１にスイッチ部１６を取り付ける際に、スイッチ部１６と同時に、鍵２の上限位置を規制する上限ストッパ部３０と、鍵２の下限位置を規制する下限ストッパ部２０、２１とを、スイッチ基板１５にスイッチ部１６と共に組み付けることができる。
【００８６】
このため、下限ストッパ部２０、２１および上限ストッパ部３０を備えていても、スイッチ基板１５を鍵盤シャーシ１に取り付ける際に、スイッチ部１６と共に、下限ストッパ部２０、２１および上限ストッパ部３０を一度に組み付けることができるので、組立時における部品点数を実施形態１よりも更に削減することができ、これにより、より一層、組立作業の簡素化を図ることができると共に、装置全体の更なる低価格を図ることができる。
【００８７】
なお、上述した実施形態３では、上限ストッパ部３０が、スイッチ部１６の前端部からスイッチ基板１５の上面に沿って延び、この延びた前端部がスイッチ基板１５の前端に位置する側面を経てスイッチ基板１５の下面に回り込んで、スイッチ基板１５の前端部を上下に挟む形状に形成されている場合について述べたが、これに限らず、スイッチ基板１５にスリット状の挿入孔を設け、この挿入孔を通してゴムシート１７の一部をスイッチ基板１５の上面から下面に露出させた構成でも良い。
【００８８】
また、上述した実施形態１〜３では、下限ストッパ部２０、２１または２５、２６および上限ストッパ部３０の各ストッパ面、つまり鍵２のスイッチ押圧部８や鍵２の側壁部２ｃまたはストッパ片７が弾接する各面が平坦面に形成されている場合について述べたが、これに限らず、細かな凹凸が形成された面であっても良い。このように形成すれば、より一層、緩衝性を高めることができる。
【００８９】
さらに、上述した実施形態１〜３では、鍵２がその後端部に設けられた屈曲部３を中心に上下方向に回転する構成である場合について述べたが、必ずしも屈曲部３の屈曲によって鍵２が上下方向に回転する構成である必要はなく、鍵２の後端部を支持軸に回転可能に取り付け、この支持軸を鍵盤シャーシ１上に支持した構成であっても良い。
【符号の説明】
【００９０】
１  鍵盤シャーシ
２  鍵
２ａ  白鍵
２ｂ  黒鍵
２ｃ  側壁部
３  屈曲部
４  連結部
７  ストッパ片
７ａ  フック部
８  スイッチ押圧部
８ａ  スイッチ当接部
８ｂ  ストッパ当接部
１５  スイッチ基板
１６  スイッチ部
１７  ゴムシート
１８  ドーム状の膨出部
２０、２１、２５、２６  下限ストッパ部
２７、２８  側壁部のストッパ当接部
３０  上限ストッパ部
３０ａ  上限ストッパ部の下面部
【図１】
2012098426.tif 000003
【図２】
2012098426.tif 000004
【図３】
2012098426.tif 000005
【図４】
2012098426.tif 000006
【図５】
2012098426.tif 000007
【図６】
2012098426.tif 000008
【図７】
2012098426.tif 000009
【図８】
2012098426.tif 000010
【図９】
2012098426.tif 000011
【図１０】
2012098426.tif 000012
【図１１】
2012098426.tif 000013
【図１２】
2012098426.tif 000014